(57)【要約】【課題】ハンドルユニットが簡単に扉に取り付けでき、取付後のシリンダ錠操作を良好なプッシュプル錠の取付構造を提供する。【解決手段】扉２５の内部に収容され錠機構部を備える錠箱１３と、錠箱１３の扉面２３と平行な側面２９に開口され錠機構部の入力部材２７が底面３１に配置されるとともに扉面２３に形成された扉穴３３によって表出される錠箱側嵌合凹部１５と、扉面２３に取り付けられ、シリンダ収容穴３７を有し、シリンダ収容穴３７が扉対向面３９に開口されるハンドルユニット１７と、シリンダ収容穴３７に挿入され扉対向面３９からシリンダ後端部４１が突出され入力部材２７に係合するテールピース４３が突設されるシリンダ錠１９と、シリンダ後端部４１を保持して扉対向面３９に固定されケース後端面４９からテールピース４３を突出させるとともにケース後端外周部５１が錠箱側嵌合凹部１５に嵌合されるシリンダケース２１とを設けた。【選択図】  図２
2015048688.tif 000002
【特許請求の範囲】
【請求項１】
扉の内部に収容され錠機構部を備える錠箱と、
前記錠箱の扉面と平行な側面に開口され、前記錠機構部の入力部材が底面に配置されるとともに、前記扉面に形成された扉穴によって表出される錠箱側嵌合凹部と、
前記扉面に取り付けられ、シリンダ収容穴を有し、該シリンダ収容穴が扉対向面に開口されるハンドルユニットと、
前記シリンダ収容穴に挿入され、前記扉対向面からシリンダ後端部が突出され前記入力部材に係合するテールピースが突設されるシリンダ錠と、
前記シリンダ後端部を保持して前記扉対向面に固定され、ケース後端面から前記テールピースを突出させるとともに、ケース後端外周部が前記錠箱側嵌合凹部に嵌合されるシリンダケースと、
を具備することを特徴とするプッシュプル錠の取付構造。
【請求項２】
請求項１記載のプッシュプル錠の取付構造であって、
前記錠箱側嵌合凹部が円柱状の嵌合空間で形成され、
前記ケース後端外周部が円柱状に形成されることを特徴とするプッシュプル錠の取付構造。
【請求項３】
請求項１または２記載のプッシュプル錠の取付構造であって、
前記錠箱側嵌合凹部の深さが、前記ケース後端外周部の中心軸線に沿う方向の長さよりも深いことを特徴とするプッシュプル錠の取付構造。
【発明の詳細な説明】
【技術分野】
【０００１】
本発明は、プッシュプル錠の取付構造に関する。
【背景技術】
【０００２】
グリップハンドルに解錠機構を組み入れたドア錠が知られている（例えば特許文献１、２参照）。特許文献１のドア錠は、デッドボルトを操作するシリンダ錠が備えられ、扉面に取り付けられる。扉の内部には、デッドボルトを進退させる錠機構部を備えた錠本体が収容される。シリンダ錠の後部、鍵孔の開口する前部と反対側からは細くて長い連結杆が突出される。この連結杆は、シリンダ錠の操作に同期して回転される。一方、扉面には、錠本体側連結孔が表出される。ドア錠が扉面に取り付けられると、この錠本体側連結孔には連結杆が差し入れられて係合し、シリンダ錠の操作力が解錠機構へ伝わるようになっている。
【０００３】
また、特許文献２の錠箱のケース素体とダルマ用受け座との組み立て構造は、扉に錠箱を木口側から入れて内蔵させ、扉面からシリンダ錠を差し込み、機構を連結させる。扉木口側からピン（係止ロッド）を複数打って、錠箱にシリンダ錠を固定させる。扉に固定された錠箱、シリンダ錠に対して、シリンダ錠を貫通させる穴を有するハンドルユニットを取り付ける。これにより、錠箱とシリンダ錠とは、位置出しが確実に行われて固定される。
【先行技術文献】
【特許文献】
【０００４】
【特許文献１】特開昭５８−２４０７５号公報
【特許文献２】特開２００６−１９３９４４号公報
【発明の概要】
【発明が解決しようとする課題】
【０００５】
しかしながら、特許文献１のドア錠は、内蔵配置の錠本体と、扉面に固定されるハンドルユニット（サムラッチユニット）の取付位置がズレると、連結杆と錠本体側連結孔とがズレて、シリンダ錠が回りにくくなる。また、細くて長い連結杆を深い位置の小径の錠本体側連結孔に正確に貫通させなければならず、組み付け作業が煩雑である。
特許文献２の組み立て構造は、錠箱とシリンダ錠は正確に位置出しされるが、扉面から固定されるハンドルユニットが、錠箱に対して正確に位置出しできない虞がある。このため、シリンダ錠の位置である扉面からの突出位置とハンドルユニットの貫通穴とが合わず、シリンダ錠の動きがスムーズなものでなくなる虞がある。また、扉木口側から複数のピンを打って、錠箱とシリンダ錠を固定する作業は、扉側ピン孔と、シリンダ側孔と、錠箱孔との３つの孔を位置あわせして固定する必要があり、また扉面と木口面という異なる向きの面での組み合わせで作業性が悪かった。
【０００６】
本発明は上記状況に鑑みてなされたもので、その目的は、ハンドルユニットが簡単に扉に取り付けでき、取付後のシリンダ錠操作が良好なプッシュプル錠の取付構造を提供することにある。
【課題を解決するための手段】
【０００７】
次に、上記の課題を解決するための手段を、実施の形態に対応する図面を参照して説明する。
本発明の請求項１記載のプッシュプル錠１１の取付構造は、扉２５の内部に収容され錠機構部を備える錠箱１３と、
前記錠箱１３の扉面２３と平行な側面２９に開口され、前記錠機構部の入力部材２７が底面３１に配置されるとともに、前記扉面２３に形成された扉穴３３によって表出される錠箱側嵌合凹部１５と、
前記扉面２３に取り付けられ、シリンダ収容穴３７を有し、該シリンダ収容穴３７が扉対向面３９に開口されるハンドルユニット１７と、
前記シリンダ収容穴３７に挿入され、前記扉対向面３９からシリンダ後端部４１が突出され前記入力部材２７に係合するテールピース４３が突設されるシリンダ錠１９と、
前記シリンダ後端部４１を保持して前記扉対向面３９に固定され、ケース後端面４９から前記テールピース４３を突出させるとともに、ケース後端外周部５１が前記錠箱側嵌合凹部１５に嵌合されるシリンダケース２１と、
を具備することを特徴とする。
【０００８】
このプッシュプル錠１１の取付構造では、予めシリンダ錠１９がシリンダケース２１によってハンドルユニット１７と一体に固定される。このサブアッセンブリ５５となったハンドルユニット１７のケース後端外周部５１が、錠箱１３の錠箱側嵌合凹部１５に嵌合される。これにより、ハンドルユニット１７、シリンダ錠１９、錠箱１３が、高精度に位置決めされる。錠箱側嵌合凹部１５は、扉面２３の浅い位置で、大径で表出するので、大径のケース後端外周部５１との嵌合が容易に行える。これにより、扉面２３の浅い位置で開口する大径の錠箱側嵌合凹部１５に、大径のケース後端外周部５１を嵌合する容易な取り付け作業が実現する。また、ケース後端外周部５１が錠箱側嵌合凹部１５に高精度に嵌合するので、テールピース４３と入力部材２７とが高い精度の相対位置で連結され、シリンダ錠１９の動きが渋くなることがない。
【０００９】
本発明の請求項２記載のプッシュプル錠１１の取付構造は、請求項１記載のプッシュプル錠１１の取付構造であって、
前記錠箱側嵌合凹部１５が円柱状の嵌合空間５３で形成され、
前記ケース後端外周部５１が円柱状に形成されることを特徴とする。
【００１０】
このプッシュプル錠１１の取付構造では、錠箱側嵌合凹部１５と円柱状の嵌合空間５３との双方が円形状となることで、穴と軸とのはめあい関係が成り立つ。本構成では、錠箱側嵌合凹部１５の内径よりも、ケース後端外周部５１の直径が小さい。即ち、錠箱側嵌合凹部１５の最小許容寸法よりケース後端外周部５１の最大許容寸法が小さいすきまばめとなる。
【００１１】
本発明の請求項３記載のプッシュプル錠１１の取付構造は、請求項１または２記載のプッシュプル錠１１の取付構造であって、
前記錠箱側嵌合凹部１５の深さが、前記ケース後端外周部５１の中心軸線に沿う方向の長さよりも深いことを特徴とする。
【００１２】
このプッシュプル錠１１の取付構造では、取り付けの完了した状態において、ケース後端外周部５１のケース後端面４９と、錠箱側嵌合凹部１５の底面３１との間に、扉厚誤差吸収用の間隙が形成される。この状態においても、テールピース４３は、間隙を通って入力部材２７と連結可能となる。
扉厚誤差吸収用の間隙が形成される本構成では、厚みに誤差の生じている異なる扉２５にプッシュプル錠１１が取り付けられる場合、厚みの薄い扉２５に取り付けられると、ケース後端外周部５１が深く挿入され、間隙が狭められる。一方、厚みの厚い扉２５に取り付けられると、ケース後端外周部５１が浅く挿入され、間隙が拡がる。これら双方の取り付け状態においてもテールピース４３はスライド変位して入力部材２７との係合が維持される。
【発明の効果】
【００１３】
本発明に係る請求項１記載のプッシュプル錠の取付構造によれば、ハンドルユニットが簡単に扉に取り付けでき、作業性が向上するとともに、取付後のシリンダ錠操作が良好となる。
【００１４】
本発明に係る請求項２記載のプッシュプル錠の取付構造によれば、すきまばめによって錠箱とシリンダケースとを高精度に位置決めできる。
【００１５】
本発明に係る請求項３記載のプッシュプル錠の取付構造によれば、ケース後端外周部を錠箱側嵌合凹部に挿入したときに形成されるケース後端面と底面との間隙によって、扉厚の誤差を吸収することができ、量産が容易となり、且つ互換性、汎用性が得られるようになる。
【図面の簡単な説明】
【００１６】
【図１】本発明の実施形態に係る取付構造を備えるプッシュプル錠の側面図である。
【図２】図１の要部側断面図である。
【図３】図２の分解側断面図である。
【図４】図２に示したプッシュプル錠の組み付け手順を説明する動作説明図である。
【図５】図４に示した組み付け手順の状態を斜めから見た動作説明図である。
【発明を実施するための形態】
【００１７】
以下、本発明に係る実施形態を図面を参照して説明する。
図１は本発明の実施形態に係る取付構造を備えるプッシュプル錠の側面図、図２は図１の要部側断面図、図３は図２の分解側断面図である。
本実施形態に係るプッシュプル錠１１の取付構造は、錠箱１３と、錠箱側嵌合凹部１５と、ハンドルユニット１７と、シリンダ錠１９と、シリンダケース２１と、を有する。なお、室外側と室内側の双方の扉面２３には、ハンドルユニット１７，１８が取り付けられるが、本発明では、室外側のハンドルユニット１７が主要な部材となる。
【００１８】
錠箱１３は、扉２５の内部に収容され錠機構部を備える。錠機構部は、入力部材２７に操作力が入力されることで、デッドボルトを進退させる。
【００１９】
錠箱側嵌合凹部１５は、錠箱１３の扉面２３と平行な側面２９に開口される。錠箱側嵌合凹部１５は、錠機構部の入力部材２７（ダルマ）が底面３１に配置されるとともに、扉面２３に形成された扉穴３３によって表出される。
【００２０】
ハンドルユニット１７は、ハンドル部３５を有する。ハンドルユニット１７は、扉面２３に取り付けられ、シリンダ収容穴３７を有する。シリンダ収容穴３７は、ハンドルユニット１７の扉対向面３９に開口される。
【００２１】
シリンダ錠１９は、ハンドルユニット１７のシリンダ収容穴３７に挿入される。シリンダ収容穴３７に挿入されたシリンダ錠１９は、ハンドルユニット１７の扉対向面３９からシリンダ後端部４１が突出される。シリンダ後端部４１には、入力部材２７に係合するテールピース４３が突設される。
【００２２】
シリンダケース２１は、筒状に形成される。シリンダケース２１のハンドルユニット側の外周には、固定用フランジ部４５が張り出している。シリンダケース２１は、固定用フランジ部４５が、ケース固定ビス４７によってハンドルユニット１７に固定される。シリンダケース２１は、シリンダ後端部４１を保持して、扉対向面３９に固定される。シリンダケース２１は、ケース後端面４９からテールピース４３を突出させるとともに、ケース後端外周部５１が錠箱側嵌合凹部１５に嵌合される。
【００２３】
本実施形態において、錠箱側嵌合凹部１５は、円柱状の嵌合空間５３で形成される。また、ケース後端外周部５１は、円柱状に形成される。これら、円柱状の嵌合空間５３と、円柱状のケース後端外周部５１とが嵌合されることになる。
【００２４】
また、本実施形態において、錠箱側嵌合凹部１５の深さは、ケース後端外周部５１の中心軸線に沿う方向の長さよりも深く形成されている。従って、ケース後端外周部５１と錠箱側嵌合凹部１５との嵌合が完了した状態において、ケース後端外周部５１のケース後端面４９と、錠箱側嵌合凹部１５の底面３１との間には、扉厚誤差吸収用の間隙（図示略）が形成される。なお、図２は、扉厚が最も薄い場合にケース後端面４９と底面３１とが接した場合を示す。
【００２５】
次に、上記構成を有するプッシュプル錠１１の取付構造の作用を説明する。
図４は図２に示したプッシュプル錠１１の組み付け手順を説明する動作説明図、図５は図４に示した組み付け手順の状態を斜めから見た動作説明図である。
プッシュプル錠１１の取付構造では、図４に示すように、シリンダ錠１９の鍵孔側がハンドルユニット１７のシリンダ収容穴３７に挿入される。鍵孔側がシリンダ収容穴３７に挿入されたシリンダ錠１９は、シリンダ後端部４１がハンドルユニット１７の扉対向面３９から突出する。この状態で、シリンダケース２１が、シリンダ錠１９を保持してハンドルユニット１７の扉対向面３９に固定される。ハンドルユニット１７とシリンダケース２１に挟まれて保持されたシリンダ錠１９は、図５に示すように、シリンダケース２１のケース後端面４９からテールピース４３が突出される。これにより、シリンダ錠１９とシリンダケース２１が組み付けられたハンドルユニット１７のサブアッセンブリ５５が完了する。
【００２６】
一方、扉２５の内部には、錠箱１３が仮固定、すなわち、位置調整程度の移動は可能な状態で固定される。錠箱１３は、図５に示すように、扉穴３３から錠箱側嵌合凹部１５が見える。錠箱側嵌合凹部１５の底面３１には入力部材２７が見える。
【００２７】
サブアッセンブリ５５の完了したハンドルユニット１７は、ケース後端外周部５１が、扉穴３３から錠箱側嵌合凹部１５に嵌合される。この際、同時に、テールピース４３が入力部材２７に係合する。ケース後端外周部５１が扉穴３３に挿入された状態で、ハンドルユニット１７は、扉対向面３９が扉面２３に当たる。
【００２８】
この状態で、ハンドルユニット１７の扉対向面３９から突出される固定柱（図示略）が、扉面２３から扉２５の内部に挿入される。ハンドルユニット１７は、固定柱の突出先端面に凹設形成されている雌ねじ部（図示略）に、反対側の扉面２３から挿入されたハンドルユニット固定ビス（図示略）が螺合されることで、扉２５に仮固定される。
【００２９】
次いで、扉２５の木口面５７（図１参照）から固定ビス（図示略）が螺着され、錠箱１３が扉２５に本固定される。その後、ハンドルユニット固定ビスが本締めされてハンドルユニット１７が本固定される。
【００３０】
本構成では、予めシリンダ錠１９がシリンダケース２１によってハンドルユニット１７と一体に固定される。このサブアッセンブリ５５となったハンドルユニット１７のケース後端外周部５１が、錠箱１３の錠箱側嵌合凹部１５に嵌合される。これにより、ハンドルユニット１７、シリンダ錠１９、錠箱１３が、高精度に位置決めされる。錠箱側嵌合凹部１５は、扉面２３の浅い位置で、大径で表出するので、大径のケース後端外周部５１との嵌合が容易に行える。
【００３１】
本構成は、従来構造のように、ハンドルユニット１７から突出する細くて長い連結杆を、扉面２３から深い位置の小径の錠本体側連結孔に差し入れる必要がない。これにより、扉面２３の浅い位置で開口する大径の錠箱側嵌合凹部１５に、大径のケース後端外周部５１を嵌合する容易な取り付け作業が実現する。
【００３２】
また、従来構造のようにシリンダ錠１９が、扉２５の木口面５７から挿入するシリンダ固定ピンで錠箱１３に固定されない。これにより、後から扉面２３に別途固定されたハンドルユニット１７との間に生じる取付誤差が抑制される。また、扉側ピン孔と、シリンダ側孔と、錠箱孔との３か所の孔を位置あわせする煩雑な作業が不要となる。
【００３３】
そして、ケース後端外周部５１が錠箱側嵌合凹部１５に高精度に嵌合するので、テールピース４３と入力部材２７とが高い精度の相対位置で連結され、シリンダ錠１９の動きが渋くなる（偏芯により回転摩擦が増大する）ことがない。
【００３４】
また、シリンダ固定ピンが不要となり、扉２５への取り付け時間が短縮できるので、製品コスト、作業コストの低減が可能となる。
【００３５】
また、プッシュプル錠１１の取付構造では、錠箱側嵌合凹部１５と円柱状の嵌合空間５３との双方が円形状となることで、穴と軸とのはめあい関係が成り立つ。本構成では、錠箱側嵌合凹部１５の内径よりも、ケース後端外周部５１の直径が小さく設定される。すなわち、錠箱側嵌合凹部１５の最小許容寸法よりケース後端外周部５１の最大許容寸法が小さいすきまばめとなる。その結果、すきまばめによって錠箱１３とシリンダケース２１とを高精度に位置決めでき、量産が容易となり、且つ互換性、汎用性が得られるようになる。
【００３６】
さらに、プッシュプル錠１１の取付構造では、取り付けの完了した状態において、ケース後端外周部５１のケース後端面４９と、錠箱側嵌合凹部１５の底面３１との間に、扉厚誤差吸収用の間隙が形成される。この状態においても、テールピース４３は、間隙を通って入力部材２７と連結可能となる。
【００３７】
扉厚誤差吸収用の間隙が形成される構成では、厚みに誤差の生じている異なる扉２５にプッシュプル錠１１が取り付けられる場合、厚みの薄い扉２５に取り付けられると、ケース後端外周部５１が深く挿入され、間隙が狭められる。一方、厚みの厚い扉２５に取り付けられると、ケース後端外周部５１が浅く挿入され、間隙が拡がる。これら双方の取り付け状態においてもテールピース４３はスライド変位して入力部材２７との係合が維持される。その結果、ケース後端外周部５１を錠箱側嵌合凹部１５に挿入したときに形成されるケース後端面４９と底面３１との間隙によって、扉厚の誤差を吸収することができる。
【００３８】
従って、本実施形態に係るプッシュプル錠１１の取付構造によれば、ハンドルユニット１７が簡単に扉２５に取り付けでき、取付後のシリンダ錠操作が良好となる。
【符号の説明】
【００３９】
１１…プッシュプル錠
１３…錠箱
１５…錠箱側嵌合凹部
１７…ハンドルユニット
１９…シリンダ錠
２１…シリンダケース
２３…扉面
２５…扉
２７…入力部材
２９…側面
３１…底面
３３…扉穴
３７…シリンダ収容穴
３９…扉対向面
４１…シリンダ後端部
４３…テールピース
４９…ケース後端面
５１…ケース後端外周部
５３…嵌合空間
【図１】
2015048688.tif 000003
【図２】
2015048688.tif 000004
【図３】
2015048688.tif 000005
【図４】
2015048688.tif 000006
【図５】
2015048688.tif 000007